(57)【特許請求の範囲】
【請求項１】
基端部に雄ねじ部を有するシャワーヘッドと、この雄ねじ部に螺着可能な雌ねじ部を上部に有し、かつ前記雌ねじ部に対して傾斜して設けられた雄ねじ部を下部に有するエルボ部材と、前記２つの雄ねじ部のどちらにも螺着可能な雌ねじ部を上部に有するアダプタ部分とから構成され、前記アダプタ部分をシャワーヘッドホルダに保持させるシャワーヘッドの保持機構であって、前記シャワーヘッドの雄ねじ部の下端面に係止部が、そして、前記エルボ部材の雌ねじ部の終端部付近に被係止部がそれぞれ設けられており、この係止部および被係止部が当接するまでシャワーヘッドの前記雄ねじ部をエルボ部材の前記雌ねじ部に螺着させることにより、前記シャワーヘッドと前記エルボ部材が所定位相位置に互いに螺着されることを特徴とするシャワーヘッドの保持機構。
【請求項２】
前記エルボ部材は、前記エルボ部材の前面側に傾斜した状態で形成された内向きフランジ部を有する一方、前記被係止部は前記内向きフランジ部の上面に設けられ、さらに、前記係止部および前記被係止部により、シャワーヘッドの前面と、エルボ部材の前面が同じ方向を向く位置に前記シャワーヘッドと前記エルボ部材が互いに螺着されるよう構成されている請求項１に記載のシャワーヘッドの保持機構。
【請求項３】
前記係止部は、シャワーヘッドの前記雄ねじ部の前記下端面に設けた小突起で構成される一方、前記被係止部は、一つの切欠を有する平面視リング形状の突起で構成され、さらに、前記係止部と前記被係止部が当接するまでシャワーヘッドの前記雄ねじ部をエルボ部材の前記雌ねじ部に螺着させるため、前記被係止部は、シャワーヘッドの前記雄ねじ部の締める方向に下降傾斜しながら前記切欠に至る下降傾斜面を上面に有する請求項１または２に記載のシャワーヘッドの保持機構。
【請求項４】
前記エルボ部材が複数種類用意されていて、互いに、エルボ部材の前記雌ねじ部に対するエルボ部材の前記雄ねじ部の傾斜角度が異なり、かつ取り替えが可能である請求項１〜３のいずれかに記載のシャワーヘッドの保持機構。
【発明の詳細な説明】
【０００１】
【発明の属する技術分野】
本発明は、シャワーヘッドホルダに保持されるアダプタ部分に対するシャワーヘッドの角度が変更可能なシャワーヘッドの保持機構に関する。
【０００２】
【従来の技術】
従来、上端部の前面に散水口を有するシャワーヘッドは、その下端が、アダプタ部分を介してシャワーホースに接続されており、このアダプタ部分は、壁に設けられたシャワーヘッドホルダによって保持されている。
【０００３】
そして、上記のようなシャワーヘッドを、シャワーヘッドホルダに保持させた状態で使用する場合、前記シャワーヘッドの散水口が、ある程度手前側に傾斜していれば、適した散水角度を得ることができる。このように構成することは周知の技術である。
【０００４】
そのための手段として、１つには、シャワーヘッドホルダが、シャワーヘッドを手前に傾斜させて保持するように構成する方法があり、他の手段として、シャワーヘッドホルダに保持されるアダプタ部分に対して、シャワーヘッドが手前側に傾斜するように構成する方法がある。
【０００５】
つまり、上記のようなシャワーヘッドホルダおよびシャワーヘッドを取り付ける場合には、シャワーヘッドホルダがシャワーヘッドをどれだけ傾けて保持するのか、また、シャワーヘッドはシャワーヘッドホルダにより保持されているアダプタ部分からどれだけ傾いているのかを、シャワーヘッドホルダに保持された状態のシャワーヘッドの使用性を基準に考慮する必要がある。
【０００６】
【発明が解決しようとする課題】
しかし、従来の構成では、シャワーヘッドの角度において、多様化する使用者のニーズに答えることができず、例えば、故障したシャワーヘッドだけを取り替えるようなときには、シャワーヘッドホルダに合わせて選択する必要があり、選択の幅が狭まり、場合によってはシャワーヘッドホルダまで取り替えなければならなかった。
【０００７】
本発明は上述の事柄に留意してなされたもので、その目的は、アダプタ部分に対するシャワーヘッドの傾きを自在に変更することが可能なシャワーヘッドの保持機構を提供することである。
【０００８】
【課題を解決するための手段】
上記目的を達成するために、本発明のシャワーヘッドの保持機構は、基端部に雄ねじ部を有するシャワーヘッドと、この雄ねじ部に螺着可能な雌ねじ部を上部に有し、かつ前記雌ねじ部に対して傾斜して設けられた雄ねじ部を下部に有するエルボ部材と、前記２つの雄ねじ部のどちらにも螺着可能な雌ねじ部を上部に有するアダプタ部分とから構成され、前記アダプタ部分をシャワーヘッドホルダに保持させるシャワーヘッドの保持機構であって、前記シャワーヘッドの雄ねじ部の下端面に係止部が、そして、前記エルボ部材の雌ねじ部の終端部付近に被係止部がそれぞれ設けられており、この係止部および被係止部が当接するまでシャワーヘッドの前記雄ねじ部をエルボ部材の前記雌ねじ部に螺着させることにより、前記シャワーヘッドと前記エルボ部材が所定位相位置に互いに螺着されるようにした（請求項１）。
【０００９】
また、前記エルボ部材は、前記エルボ部材の前面側に傾斜した状態で形成された内向きフランジ部を有する一方、前記被係止部は前記内向きフランジ部の上面に設けられ、さらに、前記係止部および前記被係止部により、シャワーヘッドの前面と、エルボ部材の前面が同じ方向を向く位置に前記シャワーヘッドと前記エルボ部材が互いに螺着されるよう構成されているのが好ましく（請求項２）、前記係止部は、シャワーヘッドの前記雄ねじ部の前記下端面に設けた小突起で構成される一方、前記被係止部は、一つの切欠を有する平面視リング形状の突起で構成され、さらに、前記係止部と前記被係止部が当接するまでシャワーヘッドの前記雄ねじ部をエルボ部材の前記雌ねじ部に螺着させるため、前記被係止部は、シャワーヘッドの前記雄ねじ部の締める方向に下降傾斜しながら前記切欠に至る下降傾斜面を上面に有するが好ましく（請求項３）、前記エルボ部材が複数種類用意されていて、互いに、エルボ部材の前記雌ねじ部に対するエルボ部材の前記雄ねじ部の傾斜角度が異なり、かつ取り替えが可能であるとしてもよい（請求項４）。
【００１０】
上記の構成により、アダプタ部分に対するシャワーヘッドの傾きを自在に変更することが可能なシャワーヘッドの保持機構を提供することができる。
【００１１】
【発明の実施の形態】
以下、この発明の実施例を、図を参照しながら説明する。
図１は本発明の一実施例におけるシャワーヘッドの保持機構Ｄの構成を概略的に示す斜視図である。
１は、上部の前面に散水口１’を有するシャワーヘッドであり、その下端は、エルボ部材２を介してアダプタ部分３に接続されている。そして、壁に設けられたシャワーホルダ４に着脱自在に保持されるアダプタ部分３の下端には、一端が湯水混合栓Ｙに接続されるシャワーホース５の他端が連結されている。
【００１２】
図２および図３は、シャワーヘッドの保持機構Ｄの構成を概略的に示す分解斜視図および縦断面図であり、図４は、シャワーヘッドの保持機構Ｄの要部の構成を概略的に示す分解斜視図である。
シャワーヘッド１の基端部には、雄ねじ部６が設けられていて、この雄ねじ部６の下端面には係止部７が形成されている。また、前記エルボ部材２の上部には、前記雄ねじ部６に螺着可能な雌ねじ部８が設けられ、エルボ部材２の下部には、その軸芯ｐが、前記雌ねじ部８の軸芯ｑと、所定の角度α（例えば１６５°）をなすように雄ねじ部９が設けられていて、側面視が、略への字形状となっている。さらに、前記雌ねじ部８の終端部付近には、被係止部１０が設けられている。一方、シャワーヘッド１の雄ねじ部６とエルボ部材２の雄ねじ部９のどちらにも螺着可能な雌ねじ部１１を上部に有するアダプタ部分３は、外面が下になるほど細くなるテーパ面となっている。また、アダプタ部分３の下部には、シャワーホース５を連結するための継手部１２が設けられている。なお、上記のエルボ部材２における雌ねじ部８と雄ねじ部９のなす角度は、およそ１６５°に限るものではない。また、前記エルボ部材２は、前記エルボ部材２の前面側に傾斜した状態で形成された内向きフランジ部Ｆをエルボ部材２の前記上部に有する一方、前記被係止部１０は前記内向きフランジ部Ｆの上面に設けられている。また、前記係止部７は、シャワーヘッド１の前記雄ねじ部６の前記下端面に設けた小突起で構成される一方、前記被係止部１０は、一つの切欠Ｔを有する平面視リング形状の突起で構成されている。さらに、前記被係止部１０は、シャワーヘッド１の前記雄ねじ部６の締める方向（矢印Ｓで示す方向）に下降傾斜しながら前記切欠Ｔに至る下降傾斜面を上面１０ａに有する。
【００１３】
次に、シャワーヘッドの保持機構Ｄの組み立て方について説明する。
まず、エルボ部材２の雌ねじ部８を、予めＯリング６’が嵌め込まれたシャワーヘッド１の雄ねじ部６に螺着させて、シャワーヘッド１にエルボ部材２を取り付ける。このとき、係止部７と被係止部１０が当接するまで雄ねじ部６を雌ねじ部８に螺着させると、所定の位相位置に（例えば、シャワーヘッド１の前面と、エルボ部材２の前面が同じ方向を向くように）互いに螺着させるように構成していることから、接着剤などで雄ねじ部６と雌ねじ部８を所定の位相位置に合わせて固定するという手間を省くことができる。そして、この後に、下端がシャワーホース５に連結されたアダプタ部分３の上部の雌ねじ部１１を、予めＯリング９’が嵌め込まれたエルボ部材２の雄ねじ部９に螺着させれば、組み立てが完了する。
【００１４】
また、上記のシャワーヘッドの保持機構Ｄは、上記の組み立てを逆に行えば、分解することもできる。
【００１５】
なお、エルボ部材２と構造がほとんど同じであり、雄ねじ部９と雌ねじ部８のなす角度だけが異なるエルボ部材２’を複数種類用意しておけば、エルボ部材２では適した散水角度が得られなくとも、エルボ部材２を複数種類のエルボ部材２’…のうち適したものに取り替えることで、対応することができる。
【００１６】
上記のように、シャワーヘッド１とエルボ部材２を所定の位相位置で互いに螺着させるための係止部７および被係止部１０を、組み立て後のシャワーヘッド１およびエルボ部材２の内側にくるように設けたことにより、見苦しくなるようなことがない。また、エルボ部材２を取り替えることで、散水角度を自由に選択できるため、様々な散水角度を有するシャワーヘッドに適用できる。さらに、エルボ部材２を用いずに、シャワーヘッド１とアダプタ部分３だけを用いてもシャワーヘッドの保持機構Ｄを構成することができる。
【００１７】
【発明の効果】
本発明のシャワーヘッドの保持機構を上記のように構成したことから、アダプタ部分に対するシャワーヘッドの傾きを自在に変更することが可能なシャワーヘッドの保持機構を提供することができる。
【図面の簡単な説明】
【図１】  本発明の一実施例におけるシャワーヘッドの保持機構の構成を概略的に示す斜視図である。
【図２】  上記実施例の構成を概略的に示す分解斜視図である。
【図３】  上記実施例の構成を概略的に示す縦断面図である。
【図４】  上記実施例の要部の構成を概略的に示す分解斜視図である。
【符号の説明】
１…シャワーヘッド、２…エルボ部材、３…アダプタ部分、４…シャワーヘッドホルダ、６…雄ねじ部、７…係止部、８…雌ねじ部、９…雄ねじ部、１０…被係止部、１１…雌ねじ部、Ｄ…シャワーヘッドの保持機構。
【図１】
0004413313.tif 000002
【図２】
0004413313.tif 000003
【図３】
0004413313.tif 000004
【図４】
0004413313.tif 000005